(57)【要約】【課題】光源数を削減してコストや消費電力の増大を回避しながら輝度ムラ、周辺輝度比を改善することが可能な技術を提供する。【課題手段】  本発明は、液晶表示素子を備えた映像表示装置に用いられ、前記液晶表示素子の背面側から該液晶表示素子に光を照射するためのバックライトユニットにおいて、光を放出するための少なくとも１本の線状光源と、前記バックライトユニットの光出射側に配置され、前記光源からの光を拡散するための拡散板とを備え、前記拡散板の主平面と直交する方向における前記拡散板の光入射面と前記線状光源との距離をｈ、前記バックライトユニットの光出射側から見たときの、前記バックライトユニットの最も端に配置された前記線状光源と前記バックライトユニットの端までの距離をＬとしたとき、      ３≦Ｌ／ｈ≦８の条件を満たすことを特徴とする。【選択図】  図１
2011076998.tif 000002
【特許請求の範囲】
【請求項１】
液晶表示素子を備えた映像表示装置に用いられ、前記液晶表示素子の背面側から該液晶表示素子に光を照射するためのバックライトユニットにおいて、
光を放出するための少なくとも１本の線状光源と、前記バックライトユニットの光出射側に配置され、前記光源からの光を拡散するための拡散板とを備え、
前記拡散板の主平面と直交する方向における前記拡散板の光入射面と前記線状光源との距離をｈ、前記バックライトユニットの光出射側から見たときの、前記バックライトユニットの最も端に配置された前記線状光源と前記バックライトユニットの端までの距離をＬとしたとき、
３≦Ｌ／ｈ≦８
の条件を満たすことを特徴とするバックライトユニット。
【請求項２】
請求項１に記載のバックライトユニットにおいて、前記線状光源の数が１本であることを特徴とするバックライトユニット。
【請求項３】
液晶表示素子を備えた映像表示装置に用いられ、前記液晶表示素子の背面側から該液晶表示素子に光を照射するためのバックライトユニットにおいて、
光を放出するための複数本の線状光源と、前記バックライトユニットの光出射側に配置され、前記光源からの光を拡散するための拡散板とを備え、
前記拡散板の主平面と直交する方向における前記拡散板の光入射面と前記線状光源との距離をｈ、前記バックライトユニットの光出射側から見たときの、前記バックライトユニットの最も端に配置された前記線状光源と前記バックライトユニットの端までの距離をＬ、前記線状光源間の距離をＰとしたとき、下記（１）及び（２）の条件を満足することを特徴とするバックライトユニット。
（１）  ０．９＞０．１（Ｌ／ｈ）２−（Ｐ／２ｈ）２
（２）  Ｌ≧Ｐ
【請求項４】
請求項３に記載のバックライトユニットにおいて、前記線状光源の数が２本であることを特徴とするバックライトユニット。
【請求項５】
請求項４に記載のバックライトユニットにおいて、前記バックライトユニットの光出射側開口の対角寸法が３２インチ以上３７インチ以下であることを特徴とするバックライトユニット。
【請求項６】
請求項３に記載のバックライトユニットにおいて、前記線状光源の数が３本であることを特徴とするバックライトユニット。
【請求項７】
請求項６に記載のバックライトユニットにおいて、前記バックライトユニットの光出射側開口の対角寸法が３７インチ以上４２インチ以下であることを特徴とするバックライトユニット。
【請求項８】
液晶表示素子に光を供給するための前記液晶表示素子の水平方向に延びる線状光源が、前記液晶表示素子の垂直方向に複数本配列されたバックライトユニットにおいて、
前記バックライトユニットの光出射側開口の対角寸法が３２インチ以上３７インチ以下で、かつ前記線状光源は熱陰極管であって、その数は２本であり、
前記２本の線状光源間の距離が、前記バックライトユニットの端部に最も近い位置に配置された線状光源と当該バックライトユニットの端部との距離よりも短いことを特徴とするバックライトユニット。
【請求項９】
液晶表示素子に光を供給するための前記液晶表示素子の水平方向に延びる線状光源が、前記液晶表示素子の垂直方向に複数本配列されたバックライトユニットにおいて、
前記バックライトユニットの光出射側開口の対角寸法が３７インチ以上４２インチ以下で、かつ前記線状光源は熱陰極管であって、その数は３本であり、
前記３本の線状光源間の距離が、前記バックライトユニットの端部に最も近い位置に配置された線状光源と当該バックライトユニットの端部との距離よりも短いことを特徴とするバックライトユニット。
【請求項１０】
請求項１乃至９のいずれか記載のバックライトユニットを有することを特徴とする映像表示装置。
【発明の詳細な説明】
【技術分野】
【０００１】
本発明は、液晶表示素子に光を照射するためのバックライトユニット及びそれを用いた映像表示装置に関する。
【背景技術】
【０００２】
液晶パネル（液晶表示素子）に光を照射するためのバックライトユニットとしては、例えば液晶表示素子の背面（直下）に光源を配置した直下方式のものが知られている。この直下方式のバックライトには、例えば特許文献１に記載のように冷陰極管等の線状光源が用いられている。
【先行技術文献】
【特許文献】
【０００３】
【特許文献１】特開２００８−５２０８号公報
【発明の概要】
【発明が解決しようとする課題】
【０００４】
直下方式のバックライトユニットでは、線状光源の数を減らすと輝度ムラの劣化、周辺輝度比の低下が生じる。これらを回避するために線状光源の数を増やすと、光源のコスト増大、駆動回路の追加、消費電力の増加などが生じる。
【０００５】
本発明は、上記従来技術の課題に鑑みて為されたものであって、光源数を削減してコストや消費電力の増大を回避しながら輝度ムラ、周辺輝度比を改善することが可能な技術を提供するものである。
【課題を解決するための手段】
【０００６】
本発明は、液晶表示素子を備えた映像表示装置に用いられ、前記液晶表示素子の背面側から該液晶表示素子に光を照射するためのバックライトユニットにおいて、光を放出するための少なくとも１本の線状光源と、前記バックライトユニットの光出射側に配置され、前記光源からの光を拡散するための拡散板とを備え、前記拡散板の主平面と直交する方向における前記拡散板の光入射面と前記線状光源との距離をｈ、前記バックライトユニットの光出射側から見たときの、前記バックライトユニットの最も端に配置された前記線状光源と前記バックライトユニットの端までの距離をＬとしたとき、
３≦Ｌ／ｈ≦８
の条件を満たすことを特徴とする。
【０００７】
また本発明は、拡散板の主平面と直交する方向における前記拡散板の光入射面と前記線状光源との距離をｈ、前記バックライトユニットの光出射側から見たときの、前記バックライトユニットの最も端に配置された前記線状光源と前記バックライトユニットの端までの距離をＬ、前記線状光源間の距離をＰとしたとき、下記（１）及び（２）の条件を満足することを特徴とする。
【０００８】
（１）  ０．９＞０．１（Ｌ／ｈ）２−（Ｐ／２ｈ）２
（２）  Ｌ≧Ｐ
ここで、前記バックライトユニットの光出射側開口の対角寸法が３２インチ以上３７インチ以下の場合は、線状光源の数は２本であり、またバックライトユニットの光出射側開口の対角寸法が３７インチ以上４２インチ以下の場合は、線状光源の数は３本であることが好ましい。
【０００９】
また本発明は、バックライトユニットの光出射側開口の対角寸法が３２インチ以上３７インチ以下で、かつ前記線状光源は熱陰極管であって、その数は２本であり、該２本の線状光源間の距離が、前記バックライトユニットの端部に最も近い位置に配置された線状光源と当該バックライトユニットの端部との距離よりも短いことを特徴とする。
【００１０】
更にまた本発明は、バックライトユニットの光出射側開口の対角寸法が３７インチ以上４２インチ以下で、かつ前記線状光源は熱陰極管であって、その数は３本であり、該３本の線状光源間の距離が、前記バックライトユニットの端部に最も近い位置に配置された線状光源と当該バックライトユニットの端部との距離よりも短いことを特徴とする。
【発明の効果】
【００１１】
上記本発明の構成によれば、光源数を低減してコストや消費電力を抑えつつも、輝度ムラ、周辺輝度比を改善することが可能となる。
【図面の簡単な説明】
【００１２】
【図１】本発明に係る液晶表示装置の第１の実施例を示す鳥瞰図
【図２】本発明に係るバックライトユニットの第１の実施例を示す断面図
【図３】本発明に係るバックライトユニットの第２の実施例を示す断面図
【図４】本発明に係るバックライトユニットの第３の実施例を示す断面図
【図５】本実施形態の効果を説明するための図
【発明を実施するための形態】
【００１３】
以下、本発明の実施の形態について、図面を参照しながら説明する。
【実施例１】
【００１４】
まず、本発明の第１実施例について、図１及び図２を参照して説明する。
本実施例に係る映像表示装置は、図１に示されるように、液晶表示素子５と、線状光源１、拡散板２、反射要素３、輝度向上シート８、およびシャーシ４を有するバックライトユニットとを備えている。シャーシ４は、適度な剛性を持つように樹脂、もしくはアルミ、鉄、合金などの金属を用いて構成されており、液晶表示素子５側に光を出射する光出射側開口を有する枡形の形状を為している。この光出射側開口を、以下ではバックライトユニットの有効照射面と呼ぶ場合もある。かかる枡形形状のシャーシ４の内部には、液晶表示素子の水平方向に延びる少なくとも１本以上の線状光源１が配置されており、この線状光源１から放出された光、または線状光源１から放出されて反射要素３により反射された光は、拡散板２、輝度向上シート８に入射され、これら拡散板２及び輝度向上シート８を通して液晶表示素子５に照射される。
【００１５】
シャーシ４の背面側には、線状光源１や液晶パネル５等に電源を供給するための電源回路６と、入力される映像信号に応じて液晶表示素子５を駆動するとともに、必要に応じ、例えば映像信号の明るさの情報などに基づいて線状光源１の点灯状態（明るさ）を制御する映像信号回路７とが取り付けられている。
【００１６】
液晶表示素子５は、その光透過率がピクセル毎に映像信号処理部７により制御され、バックライトユニットから照射される光を空間的に変調して所望の色、強度を持った光線を透過させ、視聴者に映像を提供する。
【００１７】
ここで、線状光源１は、中空のガラス管の内側に蛍光体が塗布され、かつ両端に導電性の電極を設けた蛍光管を用いてもよい。蛍光管としては、例えば、熱陰極管（ＨＣＦＬ）、冷陰極管（ＣＣＦＬ）、外部電極管（ＥＥＦＬ）などが用いられる。蛍光管以外にも、ＬＥＤやレーザ光源など、発光面積がバックライトユニットの光学系の大きさに対して略点光源と見なせる発光素子を線状に複数並べたものを用いてもよい。またこれらの点光源とレンズなどの配光調整要素や拡散シートなどとを組み合わせてユニット化したものを線状光源１として利用してもよい。本実施例では、ＣＣＦＬやＥＥＦＬよりも発光効率が高い（すなわち単位電力あたりの発光量が大きい）熱陰極管（ＨＣＦＬ）を線状光源１として用い、これにより低消費電力化を図るものとする。
【００１８】
拡散板２は、シャーシ４の光出射側開口上に設けられており、線状光源１から放出された光、または線状光源１から放出されて反射要素３により反射された光を拡散するための機能を有している。ここでは、上述したバックライトユニットの有効照射面は拡散板２の光入射面と実質的に等しいものとする。拡散板２の材質は、例えばＰＭＭＡや、ポリカーボネイト（ＰＣ）などの樹脂が用いられ、その屈折率は例えば１．３〜２．０程度とされている。拡散板２の光出射面、もしくは光の入射面、或いはその両面に、プリズムを形成してもよい。
【００１９】
反射要素３は、シャーシ４の底面及び側面の内側に設けられており、線状光源１から放出された光のうち拡散板に直接的に向かわない光を拡散反射して拡散板２側に導く機能を有している。そのために、反射要素３としては、光を拡散反射する光学的特性を有する樹脂を薄く引き延ばしたものや、鏡面のような光沢を持つミラーを利用することができる。もしくは、樹脂の表面に空間的に拡散反射面及び鏡面を分布させた、いわゆるパターニングを施したものを用いてもよい。
【００２０】
輝度向上シート８は、拡散板２の光出射面側に設けられており、拡散板２からの光を屈折してほぼ平行光にして液晶表示素子５側に導くことにより液晶表示素子５の表示映像の輝度を向上させる機能を有する。輝度向上シート８としては、液晶表示素子８の水平方向（線状光源１の長手方向と同じ方向）に延びる複数のプリズムが形成されたプリズムシートを用いてもよい。また、適度な剛性を持たせるために基材に複数のプリズムが形成された部材を貼り合わせたものを用いてもよい。プリズムの形状は、略三角柱形でもよく、略円柱形状をしたレンズ形状でも良いし、二次元的に配列された微細な推形状を有していてもよい。また輝度向上シート８は、１枚のプリズムシートではなく、液晶表示素子８の水平方向に延びるプリズムが形成されたプリズムシートと、液晶表示素子８の垂直方向に延びるプリズムが形成されたプリズムシートとの、２つのプリズムシートを重ねて使用してもよい。更にまた、輝度向上シート８として、更なる輝度を向上のために、偏光選択性の反射膜を有する光学シートを利用してもよい。
【００２１】
本実施例では、上述したように、線状光源１から出射した光線の一部は拡散板２に入射し、一部は反射要素３により反射して拡散板２に入射する。拡散板２は、その拡散効果、もしくはプリズム効果により、拡散板２の出射面に１つの太い光源像、もしくは複数の光源像を作り出す。この光源像に対して、略平行になるようにプリズムが配置されている輝度向上フィルム８によって、光源像の光はバックライトユニット側に反射され、再び反射してバックライトユニットの出射面に到達し、照射する。このサイクルを複数回繰り返すことにより、輝度均一性が高まる。このように、本実施例の構成では、拡散板２によって予め光源像を太く或いは複数にすることで輝度分布を空間的に均一に分散し、さらに、輝度向上フィルム８が有するプリズムによって複数回反射することで、更なる輝度の均一化を図るようにしている。
【００２２】
かかる構成において、線状光源１の本数が少ないと、線状光源１の近傍が明るく、線状光源１から離れるほど明るさが低下するいわゆる輝度ムラが発生する。かかる輝度ムラは、線状光源１の本数が多くすると目立たなくなるが、線状光源１の本数が多くなるほど当然コストが増加し、また消費電力も増大する。発光効率が高いＨＣＦＬを線状光源として用いても、使用する本数が多ければ消費電力低減の効果が低くなる。
【００２３】
そこで、本実施例では、少ない本数の線状光源を使用しても輝度ムラを低減するような工夫が為されている。かかる工夫は、図２に示されるように、バックライト主平面と直交する方向（バックライトユニットの奥行方向）においてバックライトユニットの有効照射面（拡散板２の入射面）と線状光源１との距離２をｈ、バックライトユニットの出射側から見たときにおける線状光源１とバックライトユニットの端部との距離をＬとしたとき、下記数１の条件を満足するように線状光源１を配置したことにある。
（数１）  ３≦Ｌ／ｈ≦８
上記数１を満足するように線状光源１を配置すれば、視聴者に対して輝度ムラを認識させない、高品位な映像を提供できる。上記数１の条件の範囲は、本発明者らの実験によって得られた、例えば図６に示されるようなＬ／ｈに対するバックライトユニットの有効照射面（表示画面に実質的に等しい）の周辺部と中央部との輝度比の特性によって求められている。図６に示されるように、Ｌ／ｈの値が小さいほど輝度比（輝度ムラに相当）は小さくなり、逆に大きいほど輝度比は大きくなる。
【００２４】
多くのユーザは、表示映像を見るときに画面の中央部を注視するため、画面周辺部の輝度が低くてもユーザにとって輝度ムラは感じ辛い。例えば画面周辺部の輝度と中央部との輝度の比率が０．５（つまり周辺部の輝度が中央部の半分）〜０．３（つまり周辺部の輝度が中央部の３０％）程度であれば、実際には輝度ムラが発生しているものの、多くのユーザによっては視覚的に許容できる範囲となる。このようなユーザの視覚的特性を考慮して図６を参照すれば、輝度ムラが許容範囲となるためには、Ｌ／ｈ＝８以下とすればよいことが理解できるだろう。
【００２５】
実際に、Ｌ／ｈ＝８の場合における複数のユーザによる輝度ムラの主観評価を行った。このとき、線状光源１の数は１本、ｈ＝２５（ｍｍ）、Ｌ＝２００（ｍｍ）、バックライトユニットの出光射側開口の対角寸法（液晶表示装置の画面サイズに等しい）は３２インチであり、そのアスペクト比は１６：９である。この結果、複数人によって、輝度ムラが許容できることを確認した。
【００２６】
ここで、上記の例と同じく線状光源１の数は１本、出光射側開口の対角寸法が３２インチでアスペクト比が１６：９のバックライトユニットにおいて、Ｌ／ｈ＝２．５の場合を想定する。この場合、図６に示されるように、Ｌ／ｈ＝８の場合よりも輝度ムラは目立ち辛くなるが、このときのL及びｈの値はそれぞれ２００（ｍｍ）、８０（ｍｍ）となり、ｈの値が大きくなる。ｈ＝８０（ｍｍ）のバックライトユニットを用いて液晶表示装置を構成した場合、バックライトユニット以外の部品（電源回路や信号処理回路など）も考慮すると、液晶表示装置全体の奥行方向の寸法（すなわち厚さ）は１００（ｍｍ）を越えてしまう。液晶表示装置の実用性を考慮すると、液晶表示装置の厚さは１００（ｍｍ）以下とすることが好ましく、それを実現するためには、Ｌ／ｈ＝３以下とする必要がある。
【００２７】
以上の発明者らによる実験及び評価結果を基にすると、３≦Ｌ／ｈ≦８であれば、たとえ１本の線状光源でも、薄く、かつ輝度ムラのない高品位なバックライトユニットを提供できる。図１及び図２に示された例では、線状光源は１本としているがこれに限られるものではなく、１本以上の線状光源を用いてもよい。但し、線状光源の本数が多くなるとコストや消費電力が大きくなるため、線状光源の本数は４本以下とすることが好ましい。線状光源を複数とする場合は、Ｌは、複数の線状光源のうち、バックライトユニットの垂直方向端部に最も近い位置に配置された線状光源と、その線状光源に近い方のバックライトユニットの端部との距離として定義される。
【００２８】
また本実施例では、拡散板２は、従来一般的に用いられてきた拡散板に比べて、体積散乱の性能を低下させたものを用いている。従来、拡散板は光を拡散させて輝度均一性を得る目的で開発されてきたため、入射光を拡散させれば拡散させるほど良いとされていたが、本発明では拡散板２による散乱度合いを低くし、これをプリズムと組み合わせることにより輝度の均一性を向上している。すなわち、プリズムは、拡散板２の主平面と直交する光（直交光）に対しては透過率が低く反射率が高くなり、一方、斜めに入射した光に対しては透過率が高く反射率が低くなるという光学的特性を持っている。そこで、本実施例の構成では、このようなプリズムの効果を十分に発揮させるため、例えば、略９０度の頂角を有したプリズム形状を拡散板２に設け、拡散板２の体積散乱の効果を低下させてプリズムに入射する光線の指向性を保つ構成にする。すなわち、プリズムに対して斜め方向に入射する光を低減させて直交光を多くすることにより、プリズムによる上記反射を増加させるようにしている。その結果、光源像の直上は輝度が抑えられ、複数の光源像の間は輝度が上昇するため、輝度均一性を改善することが出来る。
【実施例２】
【００２９】
次に、本発明の第２の実施例について図３を参照しながら説明する。この第２の実施例が第１の実施例と異なる点は、線状光源を２本使用することと、当該２本の線状光源間の距離を考慮してバックライトユニットに対する線状光源の配置を決定したことにある。本実施例に係るバックライトユニットは、２本の線状光源１ａ、１ｂを使用し、かつ拡散板２の主平面と直交する方向における拡散板２の光入射面と線状光源１との距離をｈ、バックライトユニットの光出射側から見たときの、バックライトユニットの垂直方向端部に最も近い位置に配置された線状光源（図３の例では線状光源１ｂ）と当該バックライトユニット端部との距離をＬ、線状光源１ａ及び１ｂ間の距離をＰとしたとき、下記数２及び数３の条件を満足している。
（数２）  ０．９＞０．１（Ｌ／ｈ）２−（Ｐ／２ｈ）２
（数３）  Ｌ≧Ｐ
本実施例のように線状光源１が複数本ある場合、隣同士にある線状光源１からの出射光が重なり合い、線状光源１ａ及び１ｂ間の有効照射面が明るくなる。この現象を考慮して光学法則に基づけば、隣り合う線状光源１ａ及び１ｂ間の中央部の輝度に対する、有効照射面の端の輝度比が等しくなるようなＬ／ｈ、Ｐ／２ｈの条件は、双曲線を描くことが導ける。双曲線の係数は、Ｌ、ｈ、Ｐのそれぞれの値を変化させて、実施例１の検討と同様に輝度ムラの許容限界を確認して導出した。例えば、Ｌ＝１５０（ｍｍ）、ｈ＝２３．５（ｍｍ）、Ｐ＝１００（ｍｍ）となるとき、薄く高品位なバックライトユニットを提供することができる。
【００３０】
また、線状光源の数を出来るだけ削減するため、Ｌ≧Ｐとした。すなわち、線状光源間１ａ及び１ｂ間の距離を、各線状光源とバックライトユニットの垂直方向端部との距離と同じか、それよりも短くしている。上述のように、ユーザは画面中央の明るさに敏感であり、周辺部の明るさはさほど敏感ではない。よって、本実施例のように２本の線状光源を使用する場合は、バックライトユニット垂直方向の中央部に寄せるように配置すれば、ユーザにとって明るく、かつ輝度ムラが視認し辛い映像を提供することができる。例えば、対角寸法が３２インチでアスペクト比が１６：９の有効照射面で、Ｐ＝１００（ｍｍ）、ｈ＝２３．５（ｍｍ）で輝度ムラがないバックライトユニットを提供したい場合を想定する。本発明者らの検討によれば、線状光源は２本で実現できることが判明した。
【００３１】
またＰ＝１００（ｍｍ）の場合、有効照射面の垂直方向、すなわち２つの線状光源が配列される方向の寸法は約４００（ｍｍ）となるため、線状光源を５本並べることができる。しかしながら、線状光源を５本使用することは、輝度ムラを改善する目的では冗長な構成であり、かつバックライトユニットのコストが高くなるとともに消費電力も増大するという短所がある。本実施例では、Ｌ≧Ｐと言う条件を追加することで、線状光源の本数を増加することを回避しながらも輝度ムラを低減することができる。また本実施例では、発光効率が高く発光量が多いＨＣＦＬを用いることで、少ない本数の線状光源を用いながらも輝度ムラを少なくすることができる。
【００３２】
また本実施例では、バックライトユニットの有効照射面を３２インチとしたが、３７インチのものでも同様な効果を得ることができる。すなわち、本実施例は、バックライトユニットの光出射側開口の対角寸法が３２インチ以上３７インチ以下で、かつ２本の線状光源としての熱陰極管を用い、その２本の線状光源間の距離を、バックライトユニットの端部に最も近い位置に配置された線状光源と当該バックライトユニットの端部との距離よりも短くすることにより、線状光源の本数を少なくしながらも輝度ムラを低減させることを可能にしたものである。
【００３３】
尚、本実施例によれば、バックライトユニット及び液晶表示素子５を含めた消費電力は３０〜４０Ｗ程度となり、従来の液晶表示装置（９０〜１３０Ｗ）に比べ、消費電力を大きく低減することができる。
【実施例３】
【００３４】
次に、本発明の第３の実施例について図４を参照しながら説明する。この第３の実施例は、線状光源を３本使用する点で第２の実施例と相違している。本実施例に係るバックライトユニットは、３本の線状光源１ａ、１ｂ、１ｃを使用し、かつ拡散板２の主平面と直交する方向における拡散板２の光入射面と線状光源１との距離をｈ、バックライトユニットの光出射側から見たときの、バックライトユニットの垂直方向端部に最も近い位置に配置された線状光源（図４の例では線状光源１ｂ）と当該バックライトユニット端部との距離をＬ、線状光源１ａ及び１ｂ間の距離をＰとしたとき、下記数２及び数３の条件を満足している。
（数２）  ０．９＞０．１（Ｌ／ｈ）２−（Ｐ／２ｈ）２
（数３）  Ｌ≧Ｐ
このとき、バックライトユニットの有効照射領域の対角寸法は、３７インチ以上かつ４７インチ以下であり、第２の実施例よりも大きな寸法のバックライトユニットに対応することができる。
【００３５】
発明者らの検討により、線状光源を３本用いた場合、実用的な明るさを保つためには４７インチが限界値である結果を得ている。換言すれば、３本という少ない線状光源でも、４７インチまでの家庭用においては充分に大画面の映像表示装置においても明るくかつ輝度ムラの少ない映像を提供することができる。この第３の実施例でも、第２の実施例と同様に、３本の線状光源１ａ〜１ｃ間の距離を、バックライトユニットの垂直方向端部に最も近い位置に配置された線状光源（図４の例では線状光源１ｂ）と当該バックライトユニット端部との距離よりも同じか短くしている。換言すれば、本実施例では、３本の線状光源１ａ〜１ｃをバックライト垂直方向の中央よりに寄せて配置している。これにより、バックライトユニットの有効照射面の中央部での明るさを向上するとともに、有効照射面の周辺部との輝度差を低減し、輝度ムラを抑制することができる。
【００３６】
したがって、本実施例の構成によれば、薄く、実用的な明るさを持ち、かつ輝度ムラのない高品位なバックライトユニット及び映像表示装置を、低コストでかつ低消費電力で提供できる。  それぞれの実施例は一例であり、本発明の主旨を逸脱しない限り、種々の変更を加えてもよいことは言うまでもない。
【符号の説明】
【００３７】
１…線状光源、２…拡散板、３…反射要素、４…シャーシ、５…液晶表示素子、６…電源回路、７…映像処理回路、８…輝度向上シート。
【図１】
2011076998.tif 000003
【図２】
2011076998.tif 000004
【図３】
2011076998.tif 000005
【図４】
2011076998.tif 000006
【図５】
2011076998.tif 000007